(57)【要約】無線送信／受信ユニット（ＷＴＲＵ）（１０２）間の協調型測位にユーザが参加するよう促す方法およびシステムを開示する。目標ＷＴＲＵについての測位情報を提供するのに適していると決定された参加ＷＴＲＵが識別され、目標ＷＴＲＵ（１０２）に関する測位情報を要求するブロードキャストメッセージが参加ＷＴＲＵに送信される。測位情報を報告する参加無線送信／受信ユニットには、謝礼または報酬が与えられる。
2006524961.tif 000002
【特許請求の範囲】
【請求項１】
無線通信システム内のＷＴＲＵ間の協調型測位を管理する方法であって、
前記システムに登録され、協調型測位に進んで参加するユーザを識別するステップと、
少なくとも１つの目標ＷＴＲＵを識別するステップと、
適切に配置され前記目標ＷＴＲＵの所定の地理的区域内にあるＷＴＲＵを有する自発的なユーザを識別するステップと、
前記目標ＷＴＲＵに関する測位情報が前記無線通信システムに提供されるよう要求するメッセージを、前記目標ＷＴＲＵの所定の地理的区域内の適切に配置されたＷＴＲＵに送信するステップと、
前記要求された測位情報を提供するＷＴＲＵのユーザに報酬を与えるステップと
を含むことを特徴とする方法。
【請求項２】
前記メッセージは、ブロードキャストされ、前記目標ＷＴＲＵの拡散コードを含むことを特徴とする請求項１に記載の方法。
【請求項３】
ＷＴＲＵは、前記ＷＴＲＵが所定の値を超える信頼度でそれ自体の位置を決定した場所に適切に配置されることを特徴とする請求項１に記載の方法。
【請求項４】
前記無線通信システムに提供される前記測位情報を使用して、前記目標ＷＴＲＵの位置を計算するステップをさらに含むことを特徴とする請求項１に記載の方法。
【請求項５】
前記システムが受け取る前記測位情報は、所定の値を超える信頼度で前記システムに報告される測位情報に限定されることを特徴とする請求項１に記載の方法。
【請求項６】
無線通信システムでの協調型測位にユーザが参加することができる方法であって、
ＷＴＲＵを無線通信システムに登録するステップと、
進んで自分のＷＴＲＵが協調型測位のために使用されるようにするユーザを探すシステム問合せに肯定的に応答するステップと、
前記登録されたＷＴＲＵの計算された位置の信頼度を前記システムに報告するステップと、
前記報告された信頼度が所定のレベルを超える場所で、適切に配置されていることを示す値を受け取るステップと、
目標ＷＴＲＵに関する測位情報を提供するための要求を前記システムから受け取るステップと、
前記要求された測位情報を前記システムに提供するステップと
を含むことを特徴とする方法。
【請求項７】
前記要求を、前記システムからブロードキャストされたメッセージ中で受け取ることを特徴とする請求項６に記載の方法。
【請求項８】
前記ブロードキャストは、前記登録されたＷＴＲＵに一義的な署名を含むことを特徴とする請求項７に記載の方法。
【請求項９】
前記一義的な署名は、前記ＷＴＲＵの拡散コードであることを特徴とする請求項８に記載の方法。
【請求項１０】
前記要求された測位情報を提供することに対する報酬を受け取るステップをさらに含むことを特徴とする請求項６に記載の方法。
【請求項１１】
無線通信システムにおいてＷＴＲＵを測位する方法であって、
無線通信システムに登録され、協調型測位に進んで参加するユーザを識別するステップと、
少なくとも１つの目標ＷＴＲＵを識別するステップと、
前記目標ＷＴＲＵに関する測位情報が前記システムに提供されるよう要求するブロードキャストメッセージを、前記目標ＷＴＲＵの所定の地理的範囲内の自発的な参加者に送信するステップと、
前記ブロードキャストメッセージに応答する前記自発的な参加者によって提供される測位情報に基づいて、前記目標ＷＴＲＵの位置を計算するステップと
を含むことを特徴とする方法。
【請求項１２】
前記目標ＷＴＲＵの前記位置を計算するのに使用される測位情報は、適切に配置されたＷＴＲＵを有するユーザによって提供される測位情報に限定されることを特徴とする請求項１１に記載の方法。
【請求項１３】
前記目標ＷＴＲＵの前記位置を計算するのに使用される測位情報は、所定のレベルを超える信頼度で報告される測位情報に限定されることを特徴とする請求項１１に記載の方法。
【請求項１４】
選択された目標ＷＴＲＵに関する測位情報を求める要求を無線ネットワークから受け取り、受け取った要求に応答して前記選択された目標ＷＴＲＵから信号を受け取るように構成された受信機と、
位置測定を実行するために受け取った信号に基づいて、前記目標ＷＴＲＵに関する前記位置測定を実行するように構成されたプロセッサと、
位置測定の結果を前記無線ネットワークに送信するように構成された送信機と、
測位情報がシステムに提供される実例の数を記憶するメモリと
を含むことを特徴とする無線送信／受信ユニット（ＷＴＲＵ）。
【請求項１５】
前記システムから受け取った測位要求に応答する前記ＷＴＲＵの能力を、使用可能および使用不能にするためのスイッチをさらに含むことを特徴とする請求項１４に記載のＷＴＲＵ。
【請求項１６】
測位情報が前記システムに提供される実例の数を表示するための表示装置をさらに含むことを特徴とする請求項１４に記載のＷＴＲＵ。
【発明の詳細な説明】
【技術分野】
【０００１】
本発明は、一般に無線通信システムに関する。より詳細には、本発明は、目標の無線送信／受信ユニットに関する測位情報を得るために無線送信／受信ユニットを使用することができる無線通信システムに関する。
【背景技術】
【０００２】
無線送信／受信ユニット（ＷＴＲＵ）が目標ＷＴＲＵ（すなわち、その位置を計算する必要があるＷＴＲＵ）から送信された信号の特性（すなわち、到来角度、伝搬遅延、受信電力など）を測定し報告することによって測位情報を提供することができる無線通信システムが、当技術分野で知られている。こうした機能は、協調型測位と呼ばれ、これにより、ＷＴＲＵはそれ自体を測位する際に互いに助け合うことができる。ＷＴＲＵ間の測位に関するさらなる情報は、（たとえば、特許文献１参照）および（たとえば、特許文献２参照）において提供され、そのどちらも、本出願の譲受人に譲渡されている。
【０００３】
しかし、従来技術では、測位情報を提供することに関して、協力を要請するための候補としてどのＷＴＲＵを選択するのか、こうした協力をどのように要請するのか、および、ユーザが協力するようにどのように促すのか、という問題に取り組むことができない。実際には、大部分の登録ユーザが、たとえばそれ自体の位置が好ましくない結果として、有用な測位情報を提供することがまったくできないＷＴＲＵを有しているため、これらの問題に取り組むことが好ましい。さらには、目標ＷＴＲＵに関する測位（ｐｏｓｉｔｉｏｎｉｎｇ  ｍｅａｓｕｒｅｍｅｎｔ）を実行することによって、測位を実行するＷＴＲＵのユーザについてのエンドユーザの経験が損なわれる。たとえば、目標ＷＴＲＵに関する測位を実行する結果、この測定を実行する各ＷＴＲＵではバッテリの消費が増える。
【０００４】
【特許文献１】米国特許出願第１０／３０８４７６号明細書
【特許文献２】米国特許出願第１０／３３４８０６号明細書
【発明の開示】
【発明が解決しようとする課題】
【０００５】
上記を踏まえて、無線通信システムにおけるＷＴＲＵ間の協調型測位を管理する方法およびシステムを提供することができれば望ましい。
【課題を解決するための手段】
【０００６】
本発明は、無線送信／受信ユニット（ＷＴＲＵ）間の協調型測位にユーザが参加するよう促す方法およびシステムである。目標ＷＴＲＵについての測位情報を提供するのに適していると決定された参加ＷＴＲＵが識別され、目標ＷＴＲＵに関する測位情報を要求するブロードキャストメッセージが参加ＷＴＲＵに送信される。測位情報を報告する参加ＷＴＲＵには、謝礼（ｒｅｗａｒｄ）または報酬（ｃｒｅｄｉｔ）が与えられる。
【発明を実施するための最良の形態】
【０００７】
図を参照しながら本発明を説明する。全体を通して同じ数字は同じ要素を表す。
【０００８】
一般に、基地局（ｂａｓｅ  ｓｔａｔｉｏｎ）という用語は、それだけには限定されないが、ノードＢ（Ｎｏｄｅ−Ｂ）、サイトコントローラ（ｓｉｔｅ  ｃｏｎｔｒｏｌｌｅｒ）、アクセスポイント、または無線環境での他のインターフェース装置を含む。ＷＴＲＵという用語は、それだけには限定されないが、ユーザ機器、移動局、固定または移動加入者ユニット、ポケットベル、あるいは無線環境で動作することができる他のどんなタイプの装置をも含む。さらには、無線通信システムおよび無線通信ネットワークという語句は、本明細書において区別なく使用されている。
【０００９】
最初に図１を参照すると、自分の無線送信／受信ユニット（ＷＴＲＵ）が、報酬の見返りとして目標ＷＴＲＵ（すなわち、その位置を計算する必要があるＷＴＲＵ）に関する測位情報を提供できるようにすることを、ユーザが選択することができる方法１０が示してある。一般に、目標ＷＴＲＵに関する測位情報を提供するために、それぞれのユーザによって無線ネットワークでの使用を可能にされた特定のＷＴＲＵがＷＴＲＵのグループから選択される。実際に自分のＷＴＲＵが目標ＷＴＲＵに関する測位を実行し、その測定値を取得した結果として得られた情報をネットワークに報告するユーザには、謝礼または報酬が与えられる。
【００１０】
ユーザが無線ネットワークに登録するとき、方法１０はステップ１２で開始することが好ましい。ネットワークに登録すると、ネットワークは、ステップ１４でユーザに問い合わせて、そのユーザが協調型測位に進んで参加するかどうか決定する。協調型測位では、無線ネットワークが、あるＷＴＲＵに、目標ＷＴＲＵに関する測位情報を提供するよう指令する。選択されたＷＴＲＵは、目標ＷＴＲＵから送信された信号の測位値（すなわち、到来角度、伝搬遅延、受信電力など）を取得し、目標ＷＴＲＵの位置を突き止める際使用するために、その測定結果をネットワークに報告することになる。したがって、協調型測位に参加するためには、ユーザは、目標ＷＴＲＵに関する測位情報を得るために、進んで、自分のＷＴＲＵがネットワークによって使用されて測位を実行できるようにしなければならない。ユーザが自分のＷＴＲＵを作動させるたびに問合せをされないように、ユーザの選択をネットワークによってキャッシュしてもよいことに留意されたい。
【００１１】
ユーザが参加を望まない場合、方法１０は終了する（ステップ１６）。ユーザが参加を望む場合、方法１０はステップ１８で継続する。ステップ１８で、ネットワークは、ユーザのＷＴＲＵの位置状況をユーザに通知する。すなわち、ネットワークは、ユーザのＷＴＲＵが適切に配置されているか適切に配置されていないかをユーザに通知する。ＷＴＲＵが適切に配置されているかどうかの決定は、それ自体の位置について報告されたＷＴＲＵの信頼度に基づくことが好ましい。
【００１２】
協調型測位に参加している各ＷＴＲＵは、知られているどんな測位方法（すなわち、協調型測位、全地球測位システム（ＧＰＳ）、基地局からの測定などを使用すること）によっても、それ自体を位置づけることができる。しかし、各ＷＴＲＵは適切に配置されていなければならない。ＷＴＲＵ自体の位置の信頼度が所定の値と同じかまたはそれよりも大きい場合、ＷＴＲＵは適切に配置されており、所定の値よりも小さい場合、適切に配置されていない。もちろん、ＷＴＲＵが適切に配置されているかどうかの決定は、自由にどんな基準に基づいて決定することもできる。
【００１３】
次にステップ２０を参照すると、ＷＴＲＵの位置状況が適切な配置でない場合、方法１０はステップ１８に戻り、ユーザのＷＴＲＵの位置状況が不適切な配置から適切な配置に変化するまで、ステップ１８とステップ２０の間を循環することができる。ユーザのＷＴＲＵが適切な配置である（または、適切な配置になる）場合、方法１０はステップ２０からステップ２２に進む。ステップ２２で、ユーザのＷＴＲＵが目標ＷＴＲＵの所定の地理的区域内にあるかどうかが決定される。所定の地理的区域は、自由に選択することができる。
【００１４】
ユーザのＷＴＲＵが所定の地理的区域内にない場合、ステップ２２での決定を、自由に所定の時間を遅延させて周期的に実行することができる。ユーザのＷＴＲＵが所定の地理的区域内にある場合、方法１０はステップ２４に進み、所定の地理的区域内の適切に配置されたＷＴＲＵは、目標ＷＴＲＵに関する測位情報を要求するメッセージをネットワークから受け取る。このメッセージは、ブロードキャストすることが好ましいが、もちろん自由に送信することもできる。ブロードキャストメッセージは、目標ＷＴＲＵおよび取得すべき測定値を識別する。
【００１５】
各目標ＷＴＲＵを識別するために、ブロードキャストは、目標ＷＴＲＵに特有の情報（すなわち、拡散コードまたは他の一義的な符号）を含み、目標ＷＴＲＵのサービスセル（ｓｅｒｖｉｎｇ  ｃｅｌｌ）および隣接セルを含む一連のセルにわたって送信されることが好ましい。ブロードキャストを所定の区域内の適切に配置されたＷＴＲＵに制限することは、測位情報の要求に応答するＷＴＲＵのセットを著しく限定することになる。必要なら、測定値の信頼度が所定の閾値を超えるネットワークだけに応答を許可することによって、応答するＷＴＲＵの数をさらに減らすことができる。ステップ２６で、ユーザのＷＴＲＵは、測位情報をネットワークに提供する（すなわち、目標ＷＴＲＵに関する測位値を取得し、その結果をネットワークに報告する）。次いで、ステップ２８で、目標ＷＴＲＵに関する測位情報（すなわち、測位値の結果）を提供する各ユーザに報酬が与えられる。報酬は、ユーザのネットワークアカウント上での実際の金銭的な報酬でもよく、ネットワーク上の無料使用時間の形でもよい。提供される具体的な報酬は、どんなタイプの謝礼でもよい。たとえば、航空機の常連客のマイルまたは無料の食事、あるいは他のどんなタイプのインセンティブも自由に提供することができる。ネットワークに提供される測位情報は、目標ＷＴＲＵを位置づけるために使用することが好ましい。
【００１６】
次に、図２を参照すると、ユーザ協調、および無線通信ネットワーク内のＷＴＲＵからの測位情報のネットワークでの収集を管理する方法５０が示してある。方法５０はステップ５２で開始し、協調型測位に参加したいと望む登録ユーザが無線ネットワークによって識別される。前述の通り、多くの識別されたユーザは、それ自体適切に配置されていないＷＴＲＵを有することがある。適切に配置されていないＷＴＲＵは、目標ＷＴＲＵに関する測位情報を得るために使用すべきではない。したがって、ステップ５４で、適切に配置されたＷＴＲＵが識別される。次に、ステップ５６で、目標ＷＴＲＵが識別される。
【００１７】
本実施形態では、適切に配置された各ＷＴＲＵおよび目標ＷＴＲＵが識別されると、目標ＷＴＲＵの所定の地理的区域内の適切に配置された各ＷＴＲＵが識別され（ステップ５８）、ブロードキャストメッセージが各ＷＴＲＵに送信される（ステップ６０）。前述の通り、ブロードキャストメッセージは、目標ＷＴＲＵに関する測位情報をネットワークに提供するよう要求する。ステップ６２で、要求された測位情報を報告するＷＴＲＵのユーザに報酬が発行される。
【００１８】
次に、図３を参照すると、無線システム１００が示してある。システム１００は、協調することを選択したユーザに所属するＷＴＲＵ  １０２１〜１０２ｎをシステム１００が使用して、目標ＷＴＲＵ  １０４に関する測位情報を得ることができるように、システムと協調するようユーザを促す。システム１００は、ＷＴＲＵ  １０２１〜１０２ｎおよび目標ＷＴＲＵ  １０４に加えて、無線ネットワークコントローラ（ＲＮＣ：ｒａｄｉｏ  ｎｅｔｗｏｒｋ  ｃｏｎｔｒｏｌｌｅｒ）１０６、少なくとも１つの基地局１０８、および、たとえば協調型測位に参加しないことを選択した、またはまだ要請中のＷＴＲＵ  １１０１〜１１０ｎも含む。
【００１９】
図３に関して説明した構成要素は、もちろん、本発明が実装されているシステムのタイプに応じて変化することに留意されたい。たとえば、無線システム１００が無線ローカルエリアネットワーク（ＷＬＡＮ）タイプの無線システムである場合、ＲＮＣ  １０６および少なくとも１つの基地局１０８と共に、またはその代わりに、有線のコンピュータネットワークおよび少なくとも１つのアクセスポイントを提供してもよい。したがって、セルラータイプのシステム１００が示してあるが、システム１００はどんなタイプの無線システムでもよいことに留意することが重要である。
【００２０】
本実施形態では、目標ＷＴＲＵ  １０４を位置づけする必要があるとき、ＲＮＣ  １０６は、適切に配置されたＷＴＲＵ  １０２１〜１０２ｎのグループ内のＷＴＲＵ、および目標ＷＴＲＵ  １０４の所定の地理的区域内のＷＴＲＵにブロードキャストメッセージを送信することになる。ブロードキャストメッセージは、目標ＷＴＲＵ  １０４を識別する情報を含み、目標ＷＴＲＵ  １０４に関する測位情報を要求する。ネットワークが受け取る測位情報は、所定のレベルを超える信頼度で報告されることが好ましい。
【００２１】
そのユーザが協調型測位に参加することを選択したＷＴＲＵの位置、ならびに適切な配置または不適切な配置としてのＷＴＲＵの状況は、ＲＮＣ  １０６のメモリ１１２、または基地局１０８のメモリ１１４に記憶することができる。したがって、たとえば、目標ＷＴＲＵ  １０４がちょうどオンライン状態になった新しいＷＴＲＵである場合に測位情報が必要になるとき、システム１００は、ＷＴＲＵ  １０２１〜１０２ｎのうちのどのＷＴＲＵが、目標ＷＴＲＵ  １０４を正確に測位するのに役立つことになる測位情報を提供することができるのかを迅速に決定することができる。こうしたＷＴＲＵが識別されると、ＲＮＣ  １０６は、基地局１０８を介してメッセージをブロードキャストする。その基地局では、目標ＷＴＲＵ  １０４の所定の区域内の適切に配置されたＷＴＲＵが、目標ＷＴＲＵ  １０４の測位情報を報告するよう指令される。
【００２２】
ＷＴＲＵ  １０２１〜１０２ｎによって提供される測位情報は、十分な信頼度で報告することができるところにだけ提供されることが好ましい。すなわち、測位情報を実際に目標ＷＴＲＵ  １０４の測位に使用するためには、こうした情報が所定のレベルと同じかまたはそれを超える信頼度で報告されることが好ましい。
【００２３】
ＷＴＲＵ  １０２１〜１０２ｎは、システム１００が送信する、目標ＷＴＲＵに関する測位情報を求める要求を受け取るように構成された受信機１１６を備える。受信機１１６は、目標ＷＴＲＵからの信号を受け取るようにも構成される。というのも、目標ＷＴＲＵに関する測位では、しばしば、基地局１０８などのシステム１００の構成要素から受け取った信号だけでなく、目標ＷＴＲＵからの信号も測定し、２つの受信信号間の角度を測定するからである。
【００２４】
ＷＴＲＵ  １０２１〜１０２ｎは、位置測定を実行するために受け取った信号に基づいて要求された位置測定を実行するための、少なくとも１つのプロセッサ１１８を備える。ＷＴＲＵ  １０２１〜１０２ｎは、位置測定の結果（すなわち、測位情報）をシステム１００に送信するように構成された送信機１２０も備える。さらに、ＷＴＲＵ  １０２１〜１０２ｎが、ユーザのＷＴＲＵが測位情報をシステム１００に提供した実例の数を記憶し表示することができるように、メモリ１２２および表示装置１２４がＷＴＲＵ  １０２１〜１０２ｎに設けられている。こうした情報を記憶し表示する能力は、協調型測位に参加する結果として費やされる資源の量、ならびにユーザに与えられるべき報酬の量をユーザが追跡する助けとなる。
【００２５】
協調型測位に参加することを選択した登録ユーザが、自分のＷＴＲＵが協調型測位のためにネットワークで利用可能である期間を制御できるようにするために、ＷＴＲＵ  １０２１〜１０２ｎはスイッチ１２６を備えることが好ましい。スイッチ１２６によって、ユーザは、自分のＷＴＲＵの、システム１００の測位要求に応答する能力を使用可能および使用不能にすることができるようになる。たとえば、ユーザのＷＴＲＵのパワーが低い場合、そのユーザは、自分のＷＴＲＵの、システム１００の測位要求に応答する能力を使用不能にしたいと望むことがある。
【００２６】
本発明を、どんなタイプの無線通信システムにも自由に実装できることに留意することは重要である。例として、本発明は、ＵＭＴＳ−ＦＤＤ、ＵＭＴＳ−ＴＤＤ、ＴＤＳＣＤＭＡ、ＣＤＭＡ２０００（ＥＶ−ＤＯおよびＥＶ−ＤＶ）、どんなタイプの無線ローカルエリアネットワーク（ＷＬＡＮ）、または他のどんなタイプの無線通信システムにも実装することができる。さらに、本発明を様々な実施形態に関して説明してきたが、上記請求項に記載の本発明の範囲内にある他の変形形態も当業者には明白になるであろう。
【図面の簡単な説明】
【００２７】
【図１】自分の無線送信／受信ユニットが、報酬の見返りとして目標の無線送信／受信ユニットに関する測位情報を提供できるようにすることを、ユーザが選択することができる方法を示す図である。
【図２】ユーザの協調、および無線通信ネットワーク内の適切に配置された無線送信／受信ユニットからの測位情報のネットワークでの収集を管理する方法を示す図である。
【図３】無線ネットワークが、ユーザの無線送信／受信ユニットを利用して、追加の測位が望まれる目標の無線送信／受信ユニットに関する測位情報を得ることができるように、ユーザを促すシステムを示す図である。
【図１】
2006524961.tif 000003
【図２】
2006524961.tif 000004
【図３】
2006524961.tif 000005
【手続補正書】
【提出日】平成17年7月27日(2005.7.27)
【手続補正１】
【補正対象書類名】特許請求の範囲
【補正対象項目名】全文
【補正方法】変更
【補正の内容】
【特許請求の範囲】
【請求項１】
無線通信システム内の無線送信／受信ユニット（ＷＴＲＵ）間の協調型測位を管理する方法であって、
前記システムに登録され、協調型測位に進んで参加するユーザを識別するステップと、
少なくとも１つの目標ＷＴＲＵを識別するステップと、
適切に配置され前記目標ＷＴＲＵの所定の地理的区域内にあるＷＴＲＵを有する自発的なユーザを識別するステップと、
前記適切に配置されたＷＴＲＵに要求するメッセージを、前記無線通信システムから前記目標ＷＴＲＵの所定の地理的区域内の適切に配置されたＷＴＲＵに送信して、前記目標ＷＴＲＵに関する測位情報を前記無線通信システムに提供するステップと、
前記目標ＷＴＲＵに関する前記要求された測位情報を提供するＷＴＲＵのユーザに報酬を与えるステップとを含むことを特徴とする方法。
【請求項２】
前記無線通信システムは、符号分割多重アクセス（ＣＤＭＡ）システムであり、前記メッセージは、ブロードキャストされ、前記目標ＷＴＲＵの拡散コードを含むことを特徴とする請求項１に記載の方法。
【請求項３】
ＷＴＲＵは、前記ＷＴＲＵが所定の値を超える信頼度でそれ自体の位置を決定した場所に適切に配置されることを特徴とする請求項１に記載の方法。
【請求項４】
前記無線通信システムに提供される前記測位情報を使用して、前記目標ＷＴＲＵの位置を計算するステップをさらに含むことを特徴とする請求項１に記載の方法。
【請求項５】
前記システムが受け取る前記測位情報は、所定の値を超える信頼度で前記システムに報告される測位情報に限定されることを特徴とする請求項１に記載の方法。
【請求項６】
無線通信システムでの協調型測位にユーザが参加することができる方法であって、
ＷＴＲＵを無線通信システムに登録するステップと、
進んで自分のＷＴＲＵが協調型測位のために使用されるようにするユーザを探すシステム問合せに肯定的に応答するステップと、
前記登録されたＷＴＲＵの計算された位置の信頼度を前記システムに報告するステップと、
前記報告された信頼度が所定のレベルを超える場所で、適切に配置されていることを示す値を前記システムにおいて受け取るステップと、
目標ＷＴＲＵに関する測位情報を提供するための要求を前記システムから、適切に配置されたＷＴＲＵにおいて受け取るステップと、
前記要求された測位情報を前記システムに提供するステップと
を含むことを特徴とする方法。
【請求項７】
前記要求を、前記システムからブロードキャストされたメッセージ中で受け取ることを特徴とする請求項６に記載の方法。
【請求項８】
前記ブロードキャストは、前記登録されたＷＴＲＵに一義的な署名を含むことを特徴とする請求項７に記載の方法。
【請求項９】
前記無線通信システムは、ＣＤＭＡシステムであり、前記一義的な署名は、前記ＷＴＲＵの拡散コードであることを特徴とする請求項８に記載の方法。
【請求項１０】
前記目標ＷＴＲＵに関する、前記要求された測位情報を提供することに対する報酬を受け取るステップをさらに含むことを特徴とする請求項６に記載の方法。
【請求項１１】
無線通信システムにおいてＷＴＲＵを測位する方法であって、
無線通信システムに登録され、協調型測位に進んで参加するユーザを識別するステップと、
少なくとも１つの目標ＷＴＲＵを識別するステップと、
前記目標ＷＴＲＵの所定の地理的区域内の前記自発的な参加者に要求するブロードキャストメッセージを、前記無線通信システムから前記目標ＷＴＲＵの所定の地理的範囲内の自発的な参加者に送信して、前記目標ＷＴＲＵに関する測位情報を前記システムに提供するステップと、
前記ブロードキャストメッセージに応答する前記自発的な参加者によって提供される測位情報に基づいて、前記目標ＷＴＲＵの位置を計算するステップと
を含むことを特徴とする方法。
【請求項１２】
前記目標ＷＴＲＵの前記位置を計算するのに使用される測位情報は、適切に配置されたＷＴＲＵを有するユーザによって提供される測位情報に限定されることを特徴とする請求項１１に記載の方法。
【請求項１３】
前記目標ＷＴＲＵの前記位置を計算するのに使用される測位情報は、所定のレベルを超える信頼度で報告される測位情報に限定されることを特徴とする請求項１１に記載の方法。
【請求項１４】
選択された目標ＷＴＲＵに関する測位情報を求める要求を無線通信システムから受け取り、ＷＴＲＵから受け取った要求に応答して前記選択された目標ＷＴＲＵからの信号を受け取るように構成された受信機と、
位置測定を実行するために前記目標ＷＴＲＵから受け取った信号に基づいて、前記目標ＷＴＲＵに関する前記位置測定を実行するように構成されたプロセッサと、
前記目標ＷＴＲＵに関する位置測定の結果を前記無線ネットワークに送信するように構成された送信機と、
測位情報が前記システムに提供される実例の数を記憶するメモリと
を含むことを特徴とする無線送信／受信ユニット（ＷＴＲＵ）。
【請求項１５】
前記システムから受け取った測位要求に応答する前記ＷＴＲＵの能力を、使用可能および使用不能にするためのスイッチをさらに含むことを特徴とする請求項１４に記載のＷＴＲＵ。
【請求項１６】
測位情報が前記システムに提供される実例の数を表示するための表示装置をさらに含むことを特徴とする請求項１４に記載のＷＴＲＵ。
【国際調査報告】
2006524961.tif 000006